(57)【特許請求の範囲】
【請求項１】
室内湿度検出手段と、計時手段と、圧縮機運転周波数変更手段を含み、室内機に凝縮器と蒸発器を接続し、再熱除湿運転が可能な空気調和機において、前記室内湿度検出手段で検出される室内湿度が所定の湿度（ψin）以上と成ってから、前記計時手段によって計時される時間が所定の時間（ｔ1）以上経過した場合には、前記圧縮機運転周波数変更手段により所定の周波数（Ｆ１）に変更し露付防止運転する空気調和機の制御装置。
【請求項２】
室内湿度検出手段と、計時手段と、圧縮機運転周波数変更手段と、室内温度検出手段を含み、室内機に凝縮器と蒸発器を接続し、再熱除湿運転が可能な空気調和機において、前記室内温度検出手段で検出される室内温度が所定の温度（Ｔin）以上で、かつ前記室内湿度検出手段で検出される室内湿度が所定の湿度（ψin）以上と成ってから、前記計時手段によって計時される時間が所定の時間（ｔ1）以上経過した場合には、前記圧縮機運転周波数変更手段により所定の周波数（Ｆ１）に変更し露付防止運転する空気調和機の制御装置。
【請求項３】
室内湿度検出手段と、計時手段と、圧縮機運転周波数変更手段と、室内温度検出手段と、室外温度検出手段を含み、室内機に凝縮器と蒸発器を接続し、再熱除湿運転が可能な空気調和機において、前記室外温度検出手段で検出される室外温度が所定の温度（Ｔout）以下で、かつ前記室内湿度検出手段で検出される室内湿度が所定の湿度（ψin）以上で、かつ前記室内温度検出手段で検出される室内温度が所定の温度（Ｔin）以上と成ってから、前記計時手段によって計時される時間が、所定の時間（ｔ１）以上経過した場合には、前記圧縮機運転周波数変更手段により所定の周波数（Ｆ１）に変更し露付防止運転する空気調和機の制御装置。
【請求項４】
室内湿度検出手段と、計時手段と、圧縮機運転周波数変更手段と、室内温度検出手段と、室外温度検出手段と、室内蒸発器温度検出手段を含み、室内機に凝縮器と蒸発器を接続し、再熱除湿運転が可能な空気調和機において、前記室内湿度検出手段で検出される室内湿度が所定の湿度（ψin）以上と成ってから前記計時手段によって計時される時間が所定の時間（ｔ１）以上経過後に、
もしくは前記室内温度検出手段で検出される室内温度が所定の温度（Ｔin）以上で、かつ前記室内湿度検出手段で検出される室内湿度が所定の湿度（ψin）以上と成ってから前記計時手段によって計時される時間が所定の時間（ｔ１）以上経過後に、もしくは前記室外温度検出手段で検出される室外温度が所定の温度（Ｔout）以下で、かつ前記室内温度検出手段で検出される室内温度が所定の温度（Ｔin）以上で、かつ前記室内湿度検出手段で検出される室内湿度が所定の湿度（ψin）以上と成ってから前記計時手段によって計時される時間が所定の時間（ｔ１）以上経過後に、前記室内蒸発器温度検出手段で検出される室内蒸発器温度が所定の温度（Ｔev）以上となるまで前記圧縮機運転周波数変更手段により段階的に周波数を変更し露付防止運転する空気調和機の制御装置。
【請求項５】
室内湿度検出手段と、計時手段と、室内温度検出手段と、室外温度検出手段と、膨張弁開度変更手段を含み、室内機に凝縮器と蒸発器を接続し、再熱除湿運転が可能な空気調和機において、前記室内湿度検出手段で検出される室内湿度が所定の湿度（ψin）以上と成ってから前記計時手段によって計時される時間が所定の時間（ｔ１）以上経過後に、もしくは前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、もしくは前記室外温度検出手段で検出される室外温度が所定の温度（Ｔout）以下で、かつ前記室内温度検出手段で検出される室内温度が所定の温度（Ｔin）以上で、かつ前記室内湿度検出手段で検出される室内湿度が所定の湿度（ψin）以上と成ってから前記計時手段によって計時される時間が所定の時間（ｔ１）以上経過後に、前記膨張弁開度変更手段により所定の開度（Ａpls）に変更し、露付防止運転する空気調和機の制御装置。
【請求項６】
室内湿度検出手段と、計時手段と、室内温度検出手段と、室外温度検出手段と、室内蒸発器温度検出手段と、膨張弁開度変更手段を含み、室内機に凝縮器と蒸発器を接続し、再熱除湿運転が可能な空気調和機において、前記室内湿度検出手段で検出される室内湿度が所定の湿度（ψin）以上と成ってから前記計時手段によって計時される時間が所定の時間（ｔ１）以上経過後に、もしくは前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、もしくは前記室外温度検出手段で検出される室外温度が所定の温度（Ｔout）以下でかつ前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、前記室内蒸発器温度検出手段で検出される室内蒸発器温度が所定の温度（Ｔev）以上となるまで前記膨張弁開度変更手段により段階的に膨張弁の開度を変更し、露付防止運転する空気調和機の制御装置。
【請求項７】
室内湿度検出手段と、計時手段と、室内温度検出手段と、室外温度検出手段と、室外ファン回転数変更手段を含み、室内機に凝縮器と蒸発器を接続し、再熱除湿運転が可能な空気調和機において、前記室内湿度検出手段で検出される室内湿度が所定の湿度（ψin）以上と成ってから前記計時手段によって計時される時間が所定の時間（ｔ１）以上経過後に、もしくは前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、もしくは前記室外温度検出手段で検出される室外温度が所定の温度（Ｔout）以下でかつ前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、前記室外ファン回転数変更手段により所定の室外ファン回転数（Ｂrpm）に変更し、露付防止運転する空気調和機の制御装置。
【請求項８】
室内湿度検出手段と、計時手段と、室内温度検出手段と、室外温度検出手段と、室外ファン回転数変更手段と、室内凝縮温度検出手段を含み、室内機に凝縮器と蒸発器を接続し、再熱除湿運転が可能な空気調和機において、前記室内湿度検出手段で検出される室内湿度が所定の湿度（ψin）以上と成ってから前記計時手段によって計時される時間が所定の時間（ｔ１）以上経過後に、もしくは前記室内温度検出手段で検出される室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、もしくは前記室外温度検出手段で検出される室外温度が所定の温度（Ｔout）以下でかつ室内温度が所定の温度（Ｔin）以上でかつ前記室内湿度検出手段で検出される室内湿度が所定の湿度（ψin）以上と成ってから前記計時手段によって計時される時間が所定の時間（ｔ１）以上経過後に、前記室内凝縮器温度検出手段により検出された室内凝縮器温度が所定の温度（Ｔcd）以上となるまで前記室外ファン回転数変更手段により段階的に変更し、露付防止運転する空気調和機の制御装置
【発明の詳細な説明】
【０００１】
【発明の属する技術分野】
本発明は、再熱除湿運転時に室内湿度に対応して圧縮機運転周波数もしくは膨張弁開度もしくは室外ファン回転数を自動的に変更する露付防止運転機能を有する空気調和機の制御装置に関する。
【０００２】
【従来の技術】
従来の再熱除湿運転を有する空気調和機においては、室内の温度と使用者がリモコンで設定した室内の目標温度との差が大きい場合は、目標温度に到達するまで室内湿度や運転連続時間に関わらず高い圧縮機運転周波数で運転を続けていた。
【０００３】
【発明が解決しようとする課題】
しかし、室内湿度が高い状態で長時間運転を続けた場合、蒸発器の温度が下がり、蒸発器下部の吹き出し部、ファン部等に結露が生じ、室内機吹出し口からの水の飛び出しや滴下が発生するという問題があった。
【０００４】
【課題を解決するための手段】
本発明の第１の形態は、室内湿度検出手段と計時手段と圧縮機運転周波数変更手段を含み室内機に凝縮器と蒸発器を接続し再熱除湿運転が可能な空気調和器の制御装置において、室内湿度検出手段で検出される室内湿度が所定の湿度（ψin）以上と成ってから計時手段によって計時される時間が所定の時間（ｔ１）以上経過した場合には、圧縮機運転周波数変更手段により所定の周波数（Ｆ１）に変更し露付防止運転することを特徴とする。
【０００５】
また室内湿度（ψin）のみならず室内温度検出手段で検出される室内温度（Ｔin）以上でかつ室内湿度が所定の湿度（ψin）以上と成ってから計時手段によって計時される時間が所定の時間（ｔ１）以上経過した場合には、圧縮機運転周波数変更手段により所定の周波数（Ｆ１）に変更し露付防止運転するようにしてもよい。
【０００６】
また室内湿度（ψin）、室内温度（Ｔin）のみならず室外温度検出手段で検出される室外温度が所定の温度（Ｔout）以下でかつ室内湿度が所定の湿度（ψin）以上でかつ上記室内温度が所定の温度（Ｔin）以上と成ってから計時手段によって計時される時間が所定の時間（ｔ１）以上経過した場合には、圧縮機運転周波数変更手段により所定の周波数（Ｆ１）に変更し露付防止運転するようにしてもよい。
【０００７】
さらに運転周波数を所定の周波数（Ｆ１）に変更するのみならず、室内蒸発器温度検出手段で検出される室内蒸発器温度が所定の温度（Ｔev）以上となるまで段階的に周波数を変更し露付防止運転するようにしてもよい。
【０００８】
本発明の第２の形態は、膨張弁開度変更手段を含み、所定の時間（ｔ１）以上経過後に、絞り変更手段により所定の絞り（Ａpls）に変更し、露付防止運転することを特徴とする。
【０００９】
また膨張弁開度変更手段により所定の開度（Ａpls）に変更するのみならず、室内蒸発器温度検出手段で検出される室内蒸発器温度が所定の温度（Ｔev）以上となるまで段階的に膨張弁開度を変更し露付防止運転するようにしてもよい。
【００１０】
本発明の第３の形態は、室外ファン回転数変更手段を含み、所定の時間（ｔ１）以上経過後に、室外ファン回転数変更手段により所定の室外ファン回転数（Ｂrpm）に変更し、露付防止運転することを特徴とする。
【００１１】
また室外ファン回転数変更手段により所定の室外ファン回転数（Ｂrpm）に変更するのみならず、室内凝縮器温度検出手段により検出された凝縮器温度が所定の温度（Ｔcd）以上となるまで室外ファン回転数変更手段により段階的に変更し、露付防止運転するようにしてもよい。
【００１２】
【発明の実施の形態】
以下、添付図面を参照して本発明の実施の形態について説明する。
【００１３】
図２は再熱除湿運転が可能な空気調和器を示す。空気調和機は、概略、空調すべき空間に配置されている室内機１と、屋外に配置された室外機２と、熱媒体の循環路３とを有している。
【００１４】
室内機１は、凝縮器４と、絞り機構５と、蒸発器６と、凝縮器温度を検出する凝縮器温度センサ７と、蒸発器温度を検出する蒸発器温度センサ８と、室内温度を検出する室内温度センサ９と、室内湿度を検出する室内湿度センサ１０と、風量調整可能な室内ファン１１を有する。
【００１５】
さらに、室内機１は、凝縮器温度センサ７が検出した凝縮器温度と、蒸発器温度センサ８が検出した蒸発器温度と、室内温度センサ９が検出した室内温度と、室内湿度センサ１０が検出した室内湿度と、室外温度センサ１２が検出した室外温度の情報とをもとに空気調和機を制御する本体制御部（図３参照）とを有する。
【００１６】
室外機２は、室外熱交換器１３と室外温度を検出する室外温度センサ１２、熱媒体の圧力を変化させる膨張弁１４と、冷房運転と暖房運転とで熱媒体の流れを切り替える四方弁１５、および熱媒体を圧縮する圧縮機１６、風量調整可能な室外ファン１７を有している。
【００１７】
図３は、本発明の実施の形態における空気調和機の制御回路を示すブロック図である。
【００１８】
この制御回路において、本体制御部１８では、室内温度検出手段である室内温度センサ９と、室内湿度検出手段である室内湿度センサ１０と、室内凝縮器温度検出手段である凝縮器温度制センサ７と、室内蒸発器温度検出手段である蒸発器温度センサ８および室外温度検出手段である室外温度センサ１２で検出された各温度情報と計時手段であるタイマ１９にて計時した情報が中央制御部２０へ送信され、中央制御部２０はこれらの入力情報と、テーブル記憶部２１にあらかじめ記憶された圧縮機周波数、膨張弁開度および室外ファン回転数に基づき、圧縮機１６、膨張弁１４、室外ファンを駆動するための制御信号を各々圧縮機運転周波数変更手段（図示せず）、膨張弁開度変更手段（図示せず）、室外ファン回転数変更手段（図示せず）に送るように構成されている。
【００１９】
図１のフローチャートを参照しながら露付き防止運転を説明する。図示しない運転制御部により再熱除湿運転が開始する（Ｓ１）とスッテプＳ２でタイマ１９により計時を開始する（ｔ＝0）。
【００２０】
ステップＳ３で中央制御部２０は、室内温度センサ９により室内温度（Ｔin）を室内湿度センサ１０により室内湿度（φin）を室外温度センサ１２により室外温度（Ｔout）を検出する。
【００２１】
ステップＳ４で中央制御部２０はテーブル記憶部２１にあらかじめ記憶しておいた室内温度（Ｔin）に関する所定の第１基準温度（ＴＳ１、例えば２７℃）と検出された室内温度（Ｔin）を比較し、同様に室内湿度（ψin）に関する所定の基準湿度（ψＳ、例えば８０％）と検出された室内湿度（ψin）を比較し、室外温度（Ｔout）に関する所定の第２基準温度（ＴＳ２、例えば３０℃）と検出された室外温度（Ｔout）を比較した結果、室内温度（Ｔin）が第１基準温度（ＴＳ１、２７℃）以上で、かつ、室内湿度（ψin）が基準湿度（ψＳ、８０％）以上で、かつ、室外温度（Ｔout）が第２基準温度（ＴＳ２、３０℃）以下である場合に限って、ステップＳ６でタイマ１９により計時する（ｔ＝ｔ１）。上記以外の場合はステップＳ３でタイマ１９により計時を再度開始する（ｔ＝0）。
【００２２】
ステップＳ６で中央制御部２０はタイマ１９で計時した時間（ｔ１）があらかじめ記憶しておいた時間（ｔ）に関する所定の基準時間（ｔｓ、例えば６０分）と検出された時間（ｔ１）を比較し、時間（ｔ）が基準時間（ｔｓ、例えば６０分）以上の場合はステップＳ７以下の処理を行いそれ以外の場合はステップＳ３以下の処理を行う。ステップＳ７で中央制御部２０は圧縮機１６の運転周波数（Ｆ）をあらかじめ記憶しておいた周波数（ＦＳ、例えば２１Ｈｚ）に変更し運転する。
【００２３】
ステップＳ８で中央制御部２０は、蒸発器温度センサ８により蒸発器温度（Ｔev）を凝縮器温度センサ７により凝縮器（Ｔcd）を検出する。
【００２４】
ステップＳ９で中央制御部２０はテーブル記憶部２１にあらかじめ記憶しておいた蒸発器温度（Ｔev）に関する所定の第３基準温度（ＴＳ３、例えば１２℃）と検出された蒸発器温度（Ｔev）を比較した結果、蒸発器温度（Ｔev）が第３基準温度（ＴＳ３、１２℃）以上である場合に限って、ステップＳ１０で膨張弁１４の開度（Ａ）を例えば６パルス加算し、ステップ９以下の処理を行う。上記の場合以外はステップ１１以下の処理を行う。
【００２５】
ステップＳ１１で中央制御部２０はテーブル記憶部２１にあらかじめ記憶しておいた凝縮器温度（Ｔcd）に関する所定の第４基準温度（ＴＳ４、例えば２８℃）と検出された凝縮器温度（Ｔcd）を比較した結果、凝縮器温度（Ｔcd）が第４基準温度（ＴＳ４、２８℃）以上である場合に限って、ステップＳ１２で室外ファン１７の回転数（Ｂ）を例えば２０回転加算し、ステップ１１以下の処理を行う。
【００２６】
上記の場合以外は図示していない運転制御部より指示があるまで従来の運転を継続する。以上説明したように再熱除湿運転時、室内機の吹き出し部周辺、上下偏向羽根、左右偏向羽根、ファン部等に結露が発生し易い状態で長時間運転を続けた場合、圧縮機運転周波数もしくは膨張弁開度もしくは室外ファン回転数を自動的に変更し運転制御するため、室内機の露付を防止することができる。
【００２７】
【発明の効果】
上記説明から明らかなように、請求項第１項に記載の本発明は、室内湿度が高い状態で長時間再熱除湿運転を続けた場合に空気調和器が室内湿度を検出し、この室内湿度が所定の湿度（ψin）以上と成ってから計時手段によって計時される時間が所定の時間（ｔ１）以上経過した場合には、圧縮機の運転周波数を所定の周波数（Ｆ１）に変更し、室内蒸発器温度を上げて運転する。したがって蒸発器下部の室内吹き出し部の結露を抑制することができる。
【００２８】
また請求項第２項に記載の本発明は、室内湿度と同様に室内温度も検出し、この室内温度が所定の温度（Ｔin）以上でかつ室内湿度が所定の湿度（ψin）以上と成ってから計時手段によって計時される時間が所定の時間（ｔ１）以上経過した場合には、圧縮機の運転周波数を所定の周波数（Ｆ１）に変更し、室内蒸発器温度を上げて運転するのでさらに適切な露付防止運転をすることができる。
【００２９】
また、請求項第３項に記載の本発明は、室内湿度と室内温度と同様に室外温度も検出し、この室外温度が所定の温度（Ｔout）以下でかつ室内温度が所定の温度（Ｔin）以上でかつ室内湿度が所定の湿度（ψin）以上と成ってから計時手段によって計時される時間が所定の時間（ｔ１）以上経過した場合には、圧縮機の運転周波数を所定の周波数（Ｆ１）に変更し、室内蒸発器温度を上げて運転するのでさらに適切な露付防止運転をすることができる。
【００３０】
また、請求項第４項に記載の本発明は、室内蒸発器温度検出手段で検出される室内蒸発器温度が所定の温度（Ｔev）以上となるまで段階的に圧縮機運転周波数を変更するので蒸発器下部の室内吹き出し部の結露が抑制できる蒸発器の温度まで上げるのでさらに適切な露付防止運転することができる。
【００３１】
さらに請求項第５項に記載の本発明は、膨張弁の開度を所定の開度（Ａpls）に変更し、凝縮器の温度を上げさらに蒸発器の温度を上げて運転する。したがって室内ファン部および蒸発器下部の吹き出し部の結露を抑制することができる。
【００３２】
また請求項第６項に記載の本発明は、室内蒸発器温度検出手段で検出される室内蒸発器温度が所定の温度（Ｔev）以上となるまで段階的に膨張弁開度を変更するので蒸発器下部の室内吹き出し部の結露が抑制できる蒸発器の温度まで上げるのでさらに適切な露付防止運転することができる。
【００３３】
さらに請求項第７項に記載の本発明は、室外ファンの回転数を所定の回転数（Ｂrpm）に変更し、凝縮器の温度を上げて運転する。したがって室内ファン部および蒸発器下部の吹き出し部の結露を抑制することができる。
【００３４】
また請求項第８項に記載の本発明は、室内凝縮器温度検出手段で検出される室内凝縮器温度が所定の温度（Ｔcd）以上となるまで段階的に室外ファン回転数を変更するので室内ファン部の結露が抑制できる凝縮器の温度まで上げるのでさらに適切な露付防止運転することができる。
【図面の簡単な説明】
【図１】本発明の実施の形態における空気調和機の露付防止運転時の制御方法を示すフローチャート
【図２】同空気調和機の構成図
【図３】同空気調和機の制御回路を示すブロック図
【符号の説明】
１  室内機
２  室外機
３  循環路
４  凝縮器
５  絞り機構
６  蒸発器
７  凝縮器温度センサ（室内凝縮器温度検出手段）
８  蒸発器温度センサ（室内蒸発器温度検出手段）
９  室内温度センサ（室内温度検出手段）
１０  室内湿度センサ（室内湿度検出手段）
１１  室内ファン
１２  室外温度センサ
１３  室外熱交換器
１４  膨張弁
１５  四方弁
１６  圧縮機
１７  室外ファン
１８  本体制御部
１９  タイマ
２０  中央制御部
２１  テーブル記憶部
【図１】
0003867490.tif 000002
【図２】
0003867490.tif 000003
【図３】
0003867490.tif 000004